(57)【要約】  【課題】ＦＰＣの端子電極の先端が斜め挿入によって剥がれが発生し、コネクタ内部でショートして品質問題が起こる。  【解決手段】フレキシブルプリント基板において、複数の配線２の内、配線を介して配線の延在方向に直交する両端側で対向する一対の両端配線それぞれの一部における被覆部３に備え、前記一対の側辺基板面８に設けた一対の側部配線部５と、前記一対の両端配線間に界在する配線それぞれと、接続部７における基板端部９との間に、配線の延在方向に直交する当該配線の幅よりも狭い幅を有する先端配線部４とを備えたことを特徴とするフレキシブルプリント基板。  【選択図】  図１
2007088243.tif 000002
【特許請求の範囲】
【請求項１】
一対の基板側辺と前記基板側辺を連接する基板端部を有する基板上に、前記一対の基板側辺と略平行に延在配置される複数の配線と、
前記複数の配線の延在方向の一端近傍に、前記複数の配線上それぞれに形成される端子電極と前記基板とからなる接続部と、
前記接続部を残し、前記複数の配線及び前記延在方向に直交する方向における前記一対の基板側辺側それぞれの側辺基板面を覆う被覆部とを備えたフレキシブルプリント基板において、
前記複数の配線の内、配線を介して前記延在方向に直交する両端側で対向する一対の両端配線それぞれの一部における前記被覆部に備え、前記一対の側辺基板面に設けた一対の側部配線部と、
前記一対の両端配線間に界在する配線それぞれと、前記接続部における前記基板端部との間に、前記延在方向に直交する当該配線の幅よりも狭い幅を有する先端配線部とを
備えたことを特徴とするフレキシブルプリント基板。
【発明の詳細な説明】
【技術分野】
【０００１】
本発明は、電子機器のコネクタ間を接続するフレキシブルプリント基板（以下、ＦＰＣ）に関するものである。
【背景技術】
【０００２】
昨今の携帯電話やデジタルモバイル商品などの各基板を接続する場合、コネクタ間での狭ピッチでの信頼性が求められている。その反面、製造過程においてＦＰＣの取り扱いや作業性によって、接続不良が発生し市場の品質問題になっている。その要因の一つとして商品の小型化、高密度化に伴い０．３ｍｍピッチのコネクタの小型化によるＦＰＣの必要性が増えたことがあげられる。また一方で品質を維持継続する手法が明確に確立されていなかったことがあげられる。
【０００３】
ＦＰＣで発生する品質上の問題の一つとして、コネクタにＦＰＣを斜め挿入することでコネクタのハウジングに接触してメッキが剥離し、その剥離クズによってコネクタ内部でショートが発生するという問題がある。
【０００４】
特開平６−２０４６３６号公報では、接続パターンの先端部をその中心部からずらして形成する、あるいは接続パターンの先端部を端子部の端縁から後退させたギャップをもって形成することによって、先端部の剥離を解消するＦＰＣコネクタ端子が開示されている。
【特許文献１】特開平６−２０４６３６号公報
【発明の開示】
【発明が解決しようとする課題】
【０００５】
しかしながら、上述の接続パターンの先端部をその中心部からずらした構成では、先端部の加工が困難となり、また上述の接続パターンの先端部を端子部の端縁から後退させたギャップをもつ構成では、接続パターンにメッキを施すのが困難となり、ともに製造過程における作業性に問題があった。
【０００６】
本発明の目的は、端子電極の先端部のメッキの剥がれによるコネクタ内部で発生するショートを防ぐとともに、ＦＰＣの製造過程の作業性を向上させることにある。
【課題を解決するための手段】
【０００７】
上記目的を達成するために、本発明のフレキシブルプリント基板は、一対の基板側辺と前記基板側辺を連接する基板端部を有する基板上に、前記一対の基板側辺と略平行に延在配置される複数の配線と、前記複数の配線の延在方向の一端近傍に、前記複数の配線上それぞれに形成される端子電極と前記基板とからなる接続部と、前記接続部を残し、前記複数の配線及び前記延在方向に直交する方向における前記一対の基板側辺側それぞれの側辺基板面を覆う被覆部とを備えたフレキシブルプリント基板において、前記複数の配線の内、配線を介して前記延在方向に直交する両端側で対向する一対の両端配線それぞれの一部における前記被覆部に備え、前記一対の側辺基板面に設けた一対の側部配線部と、前記一対の両端配線間に界在する配線それぞれと、前記接続部における前記基板端部との間に、前記延在方向に直交する当該配線の幅よりも狭い幅を有する先端配線部とを備えたことを特徴とする。
【発明の効果】
【０００８】
本発明のＦＰＣによれば、端子電極の先端部のメッキの剥がれによるＦＰＣコネクタ内部で発生するショートを防ぐとともに、ＦＰＣの製造過程の作業性を向上することができる。
【発明を実施するための最良の形態】
【０００９】
以下、図面を参照しながら本発明の実施の形態を説明する。図１は本発明のＦＰＣを示す平面図、図２は本発明のＦＰＣの断面図である。図において、１は端子電極、２は配線、３は被覆部、４は先端配線部、５は側部配線部、６はベース部、７は接続部、８は側辺基板面、９は基板端部、１０は基板側辺、１１は接着剤、１２は補強板である。ベース部６は、その先端を基板端部９、側辺を基板側辺１０からなる。配線２は、ベース部6上に、接着剤１１を用いて配線パターンとして形成され、基板側辺１０との間にはギャップ（側辺基板面８）を有して配置される。配線２は、両端の配線を除いて、先端に先端配線部４があり、また両端の配線には、側辺基板面８上に側部配線部５がある。配線２上の絶縁部に関して、側部配線部５を含め、接着剤１１を用いて、被覆部３により被覆する。また、基板の強度を補強するために、補強板１２をベース部６の下面に接着させる。コネクタのコンタクト等に電気的に接続される接続部７は、露出した配線２及び先端配線部４上に、メッキ等を施して形成した端子電極１からなる。
【００１０】
本発明のＦＰＣの製造方法に関して、図面を用いて説明する。本発明のＦＰＣを製造するにあたって、ベース６上に、図３に示す配線パターンを形成する。配線パターンは、配線２と、両端の配線を除いて先端に配置される先端配線部４と、両端の配線の側部に配置される側部配線部５からなる。配線２、先端配線部４及び側部配線部５は、主に銅箔パターンで形成されるが、これに限るものではない。本配線パターンを形成するにあたって、先端配線部４は、配線２の中心部からずらして形成する等の特殊な形状とする必要がなく、容易に配線パターンを形成することが可能である。
【００１１】
次に、配線２上で、電気的に接続しない絶縁部に関して、接着剤１１を用いて、被覆部３により被覆する。この際、側部配線部５は、被覆部３内に被覆する。この時の形状を図４に示す。
【００１２】
その後、先端配線部４及び側部配線部５より、特定の電圧を印加することによって、露出した配線２及び先端配線部４の配線表面にメッキを施し、端子電極１を形成する。図５にメッキを施した端子電極１を示す。先端配線部４及び側部配線部５により、メッキを施すための電圧を印加することができる本配線は、先端配線部４がなく、ＦＰＣの他端の接続部を通して電圧を印加し、メッキを施す方法と比較して、端子電極１の形成が容易に実現できる。以上の過程によって、コネクタのコンタクト等に電気的に接続を図る接続部７を形成する。接続部７は、コネクタのコンタクトとの接続に主に用いられるが、接続形態はこれに限るものではない。
【００１３】
図１に示す本発明のＦＰＣは、両端に位置する配線２について、側部配線部５が被覆部3の中に配置する構成となっている。露出した配線２及び先端配線部４上には、メッキが施され、端子電極１が形成されるが、先端配線部４上に形成される端子電極１のメッキが、コネクタのコンタクトする際に、剥がれ、不具合を発生する要因となる。特にＦＰＣの両端に位置する端子電極は、コネクタとコンタクトする場合に、斜め挿入などの衝撃によってメッキの一部が剥がれショートする可能性が高い。そのために両端の配線の先端配線部のみを削除して被覆部３の中に移動させることで、斜め挿入時の衝撃によるメッキの剥がれを防ぐことができる。また被覆部３の中に側部配線部５を配置することで、コネクタ側面にたまりやすい異物に対して絶縁することができ、特に接点上面方向からの導電物や外部からの接触を未然に防ぐことができる。側面はコネクタの樹脂により絶縁されているのでショートの可能性はない。また本ＦＰＣでは、基板端部９から配線２までの一定の寸法が確保でき、コネクタを選択する上で非常に汎用性の高い構成が得られる。また、実用的で簡単な工法のため、ＦＰＣの芯数や形状に依存されることなく全てのＦＰＣに展開することが可能である。
【産業上の利用可能性】
【００１４】
本発明のＦＰＣコネクタ端子は、端子電極の先端部の剥がれによるコネクタ内部で発生するショートを防ぐとともに、ＦＰＣの製造過程における作業性を向上することができ、電子機器のコネクタ間を接続するＦＰＣとして有用である。
【図面の簡単な説明】
【００１５】
【図１】本発明のフレキシブルプリント基板の一実施形態を示す平面図
【図２】本発明のフレキシブルプリント基板の一実施形態を示す断面図
【図３】本発明のフレキシブルプリント基板の製造過程における一実施形態を示す図
【図４】本発明のフレキシブルプリント基板の製造過程における他の実施形態を示す図
【図５】本発明のフレキシブルプリント基板の製造過程における他の実施形態を示す図
【符号の説明】
【００１６】
１  端子電極
２  配線
３  被覆部
４  先端配線部
５  側部配線部
６  ベース部
７  接続部
８  側辺基板面
９  基板端部
１０  基板側辺
１１  接着剤
１２  補強板
【図１】
2007088243.tif 000003
【図２】
2007088243.tif 000004
【図３】
2007088243.tif 000005
【図４】
2007088243.tif 000006
【図５】
2007088243.tif 000007